(57)【要約】【課題】容器の口頸部（４４）が不正に開封されることが確実に防止されると共に、口頸部に容器蓋（２）を装着する際に破断ライン（１８）が偶発的に破断されることが可及的に防止される合成樹脂製容器蓋を提供する。【解決手段】係止突起（３４）の各々の形態を周方向中間部（３４ａ）の係止上面（３８）の半径方向延出長さ（Ｌａ）は周方向両側部（３４ｂ）における係止上面（３８）の半径方向延出長さ（Ｌｂ）よりも大きい独特な形態にせしめる。【選択図】図３
2015093704.tif 000002
【特許請求の範囲】
【請求項１】
円形天面壁と該天面壁の周縁から垂下する円筒形スカート壁とを具備し、該スカート壁には周方向に延びる破断ラインが形成されていて、該スカート壁は該破断ラインよりも上方の主部と該破断ラインよりも下方のタンパーエビデント裾部とに区画されており、該スカート壁の該主部の内周面には雌螺条が形成され、該タンパーエビデント裾部の内周面には周方向に間隔をおいて周方向に延びる複数個の係止突起が配設されており、該係止突起の各々は半径方向内方に延出する係止上面を有する合成樹脂製容器蓋において、
該係止突起の各々における周方向中間部の該係止上面の半径方向延出長さは周方向両側部における該係止上面の半径方向延出長さよりも大きく設定されている、ことを特徴とする合成樹脂製容器蓋。
【請求項２】
該係止突起は周方向に等間隔をおいて奇数個配設されていて、該係止突起の各々の周方向長さは同一であり、該係止突起の各々の周方向中間部の直径方向反対部位には該係止突起が存在しない係止突起非存在部が位置する、請求項１記載の合成樹脂製容器蓋。
【請求項３】
該係止突起は周方向に等間隔をおいて５個配設されている、請求項２記載の合成樹脂製容器蓋。
【請求項４】
該係止突起の各々における周方向中間部の半径方向内方への延出長さは周方向中間から周方向両側に向かって漸次低減せしめられている、請求項１から３までのいずれかに記載の合成樹脂製容器蓋。
【請求項５】
該係止突起の各々は、下方に向かって半径方向外方に傾斜して延在する案内下面を有し、該案内下面の下縁は周方向中間部から少なくとも周方向両側部の一部に渡って水平に延びる、請求項４記載の合成樹脂製容器蓋。
【発明の詳細な説明】
【技術分野】
【０００１】
本発明は、タンパーエビデント特性を備えた合成樹脂製容器蓋、更に詳しくは円形天面壁とこの天面壁の周縁から垂下する円筒形スカート壁とを具備し、スカート壁には周方向に延びる破断ラインが形成されていて、スカート壁は破断ラインよりも上方の主部と破断ラインよりも下方のタンパーエビデント裾部とに区画されており、スカート壁の主部の内周面には雌螺条が形成され、タンパーエビデント裾部の内周面には周方向に間隔をおいて周方向に延びる複数個の係止突起が配設されており、係止突起の各々は半径方向内方に延出する係止上面を有する合成樹脂製容器蓋に関する。
【背景技術】
【０００２】
周知の如く、外周面には雄螺条とこの雄螺条の下方に位置する係止あご部が配設されている円筒形状の口頸部を有する飲料用容器のための合成樹脂製容器蓋として、例えば下記特許文献１に開示されている如く、円形天面壁とこの天面壁の周縁から垂下する円筒形スカート壁とを具備し、スカート壁には周方向に延びる破断ラインが形成されていて、スカート壁は破断ラインよりも上方の主部と破断ラインよりも下方のタンパーエビデント裾部とに区画されている合成樹脂製容器蓋が広く実用に供されている。スカート壁の主部の内周面には雌螺条が形成されている。タンパーエビデント裾部の内周面には周方向に間隔をおいて周方向に延びる複数個の係止突起が配設されており、係止突起の各々は半径方向内方に延出する係止上面を有する。
【０００３】
上記のとおりの合成樹脂製容器蓋は、容器の口頸部に被嵌して閉回転方向、即ち上方から見て時計方向、に回転せしめ、口頸部の雄螺条に容器蓋の雌螺条を螺合せしめることによって口頸部に装着される。タンパーエビデント裾部の内周面に形成されている係止突起は、口頸部の係止あご部を弾性的に乗り越えてその下方に位置せしめられる。容器の内容物を消費するために容器の口頸部を開封する際には、容器蓋を開回転方向、即ち上方から見て反時計方向、に回転せしめる。かくすると、雄螺条に対する雌螺条の螺合が漸次解除され、容器蓋の天面壁及びスカート壁の主部は開方向への回転と共に上昇せんとするが、タンパーエビデント裾部はその内周面に形成されている係止突起の係止上面が口頸部の係止あご部に係止することによって上昇が阻止され、かくして破断ラインに応力が生成されて破断ラインが破断され、タンパーエビデント裾部がスカート壁の主部から分離される。しかる後においては、タンパーエビデント裾部を口頸部に残留せしめて、天面壁及びスカート壁の主部は開回転方向の回転と共に自由に上昇せしめられて口頸部から離脱され、口頸部が開封される。タンパーエビデント裾部に軸線方向に延在する破断ラインが形成されている形態の合成樹脂製容器蓋においては、周方向に延びる破断ラインの破断は周方向全周ではなくて一部において破断されることなく維持され、タンパーエビデント裾部に形成されている軸方向に延在する破断ラインが破断されてタンパーエビデント裾部が無端環状形態から有端帯状形態にせしめられ、これによって口頸部の係止あご部に対する係止突起の係止が解除され、しかる後にタンパーエビデント裾部を含む容器蓋の全体が開回転方向の回転と共に自由に上昇せしめられて口頸部から離脱され、口頸部が開封される。
【先行技術文献】
【特許文献】
【０００４】
【特許文献１】特開２０１１−１４３９４２号公報
【発明の概要】
【発明が解決しようとする課題】
【０００５】
本発明者の経験によれば、上述したとおりの形態の従来の合成樹脂容器蓋には、（１）タンパーエビデント裾部の端部に指或いは適宜の工具を係止せしめて半径方向外方に変位せしめながら容器蓋を開回転方向に回転せしめることによって、破断ラインを破断せしめることなく容器蓋の全体を口頸部から離脱せしめて口頸部が不正に開封されてしまう虞が皆無ではない、（２）容器の口頸部に容器蓋を装着する際、特にタンパーエビデント裾部の内周面に配設されている係止突起が口頸部の係止あご部を弾性的に乗り越える際に、破断ラインが偶発的に破断されてしまう虞がある、という解決すべき問題が存在する。
【０００６】
本発明は上記事実に鑑みてなされたものであり、その主たる技術的課題は、上記のとおりにして口頸部が不正に開封されることが確実に防止されると共に、口頸部に容器蓋を装着する際に破断ラインが偶発的に破断されることが可及的に防止される、新規且つ改良された合成樹脂製容器蓋を提供することである。
【課題を解決するための手段】
【０００７】
本発明者は、鋭意検討の結果、係止突起の各々における係止上面の半径方向の延出長さを比較的長くすると、上記のとおりにして口頸部が不正に開封されることを確実に防止することができるが、口頸部に容器蓋を装着する際に破断ラインが偶発的に破断される傾向が増大する事実に鑑み、係止突起の各々の形態を周方向中間部の係止上面の半径方向延出長さは周方向両側部における係止上面の半径方向延出長さよりも大きい独特な形態にせしめることによって上記主たる技術的課題を達成することができることを見出した。
【０００８】
即ち、本発明によれば、上記主たる技術的課題を達成する合成樹脂容器蓋として、円形天面壁と該天面壁の周縁から垂下する円筒形スカート壁とを具備し、該スカート壁には周方向に延びる破断ラインが形成されていて、該スカート壁は該破断ラインよりも上方の主部と該破断ラインよりも下方のタンパーエビデント裾部とに区画されており、該スカート壁の該主部の内周面には雌螺条が形成され、該タンパーエビデント裾部の内周面には周方向に間隔をおいて周方向に延びる複数個の係止突起が配設されており、該係止突起の各々は半径方向内方に延出する係止上面を有する合成樹脂製容器蓋において、
該係止突起の各々における周方向中間部の該係止上面の半径方向延出長さは周方向両側部における該係止上面の半径方向延出長さよりも大きく設定されている、ことを特徴とする合成樹脂製容器蓋が提供される。
【０００９】
好ましくは、該係止突起は周方向に等間隔をおいて奇数個、特に５個、配設されていて、該係止突起の各々の周方向長さは同一であり、該係止突起の各々の周方向中間部の直径方向反対部位には該係止突起が存在しない係止突起非存在部が位置する。該係止突起の各々における周方向中間部の半径方向内方への延出長さは周方向中間から周方向両側に向かって漸次低減せしめられているのが好都合である。該係止突起の各々は、下方に向かって半径方向外方に傾斜して延在する案内下面を有し、該案内下面の下縁は周方向中間部から少なくとも周方向両側部の一部に渡って水平に延びるのが好適である。
【発明の効果】
【００１０】
本発明の合成樹脂製容器蓋においては、係止突起の各々における周方向中間部の係止上面の半径方向延出長さが周方向両側部における係止上面の半径方向延出長さよりも大きく設定されている故に、タンパーエビデント裾部の端部に指或いは適宜の工具を係止せしめて半径方向外方に変位せしめて係止を毀損することが効果的に防止される。他方、係止突起の各々における周方向中間部のみにおいて係止上面の半径方向の延出長さが大きく設定されている故に、容器の口頸部に容器蓋を装着する際、特にタンパーエビデント裾部の内周面に配設されている係止突起が口頸部の係止あご部を弾性的に乗り越える際に、破断ラインが偶発的に破断されてしまうことが可及的に回避される。
【図面の簡単な説明】
【００１１】
【図１】本発明に従って構成された合成樹脂製容器蓋の好適実施形態を、一部を断面で示す正面図。
【図２】図１の容器蓋の底面図。
【図３】図１に示す容器蓋における係止突起を示す部分断面図。
【発明を実施するための形態】
【００１２】
以下、添付図面を参照して、本発明に従って構成された合成樹脂製容器蓋の好適実施形態について、更に詳述する。
【００１３】
図１を参照して説明すると、ポリエチレン又はポリプロピレンの如き適宜の合成樹脂から射出成形又は圧縮成形することができる容器蓋２は、円形天面壁４とこの天面壁４の周縁から垂下する円筒形スカート壁６とを具備する。天面壁４の内面外周縁部には、下方に垂下する比較的長い円筒形状の内側シール片８と共に下方に垂下する比較的短い円筒形状の外側シール片１０が形成されている。内側シール片８の外周面基端部には環状突出部１２が形成されている。
【００１４】
スカート壁６は比較的肉厚の厚肉上部１４と比較的肉薄の薄肉下部１６を有する。薄肉下部１６の上端部には周方向に延びる破断ライン１８が形成されており、スカート壁６は破断ライン１８より上方の主部２０と破断ライン１８より下方のタンパーエビデント裾部２２とに区画されている。図示の実施形態においては、破断ライン１８は周方向に延びる複数個のスリット（切り溝）２４とスリット２４間に残留せしめられている複数個の橋絡部２６とから構成されており、タンパーエビデント裾部２２は複数個の橋絡部２６を介して主部２０に接続されている。
【００１５】
スカート壁６の主部２０の外周面には、周方向に見て交互に存在する凹凸形状から構成された滑り止めローレット２８が形成されている。スカート壁６の主部２０の内周面には、雌螺条３０と共に軸線方向に延びる複数個の切欠き３２が形成されている。
【００１６】
タンパーエビデント裾部２２の内周面には周方向に間隔をおいて複数個の係止突起３４が配設されている。好適実施形態においては、周方向に等間隔をおいて奇数個の係止突起３４が配設されていて、係止突起３４の周方向長さは実質上同一であり、従って係止突起３４の各々の周方向中間部３４ａの直径方向反対側には係止突起が存在しない係止突起非存在部３６が位置する。図示の実施形態においては、周方向に等間隔をおいて５個の係止突起３４が配設されており、係止突起３４の各々の周方向長さは実質上同一であり、係止突起３４の各々の周方向中間部３４ａの直径方向反対側には係止突起非存在部３６が存在する。
【００１７】
図１と共に図２及び図３を参照して説明を続けると、係止突起３４の各々は、半径方向内方に延出する係止上面３８、縦断面図において略半円弧形状である先端面４０及び下方に向かって半径方向外方に傾斜して延在する案内下面４２を有する。そして、本発明に従って構成された容器蓋２においては、係止突起３４の各々において、係止上面３８の半径方向内方への延出長さが周方向全体に渡って同一ではなく、周方向中間部３４ａにおける延出長さＬａは、周方向両側部における延出長さＬｂよりも大きく設定されていることが重要である。図示の実施形態においては、係止上面３８の周方向中間部３４ａにおける延出長さＬａは、周方向中間から周方向両側に向かって延出長さＬｂまで漸次低減せしめられている。周方向両側部３４ｂにおける係止上面３８の半径方向内方への延出長さＬｂは一定である。係止上面３８の上記延出長さＬａ及びＬｂは、容器蓋２を形成している合成樹脂材料の硬度、係止突起非存在部３６の周方向長さ、タンパーエビデント裾部２２の厚さ、容器蓋２が適用される容器の口頸部における係止あご部の形状等に基づいて適宜に設定することができる。図示の実施形態においては、係止突起３４の各々の案内下面４２の下縁は上記周方向中間部３４ａから上記両側部３４ｂの一部（即ち内側半部）に渡って実質上水平に延在している（図１を参照されたい）。上記周方向両側部３４ｂの外側半部においては案内下面４２の下縁は周方向外側端に向かって軸線方向上方に傾斜せしめられている。
【００１８】
図１には容器蓋２と共に容器の口頸部４４も図示されている。ポリエチレンテレフタレートの如き適宜の合成樹脂、ガラス或いは金属薄板から形成することができる容器の口頸部４４は全体として円筒形状であり、口頸部４４の外周面には雄螺条４６と雄螺条４６の下方に位置する係止あご部４８が形成されている。係止あご部４８は下方に向かって外径が漸次増大する弧状の上面及び実質上水平に延在する下面を有する。口頸部４４の外周面には、更に、係止あご部４８の下方に位置するサポートリング５０（かかるサポートリング５０は当業者には周知の如く容器の搬送に利用される）も配設されている。
【００１９】
容器内に内容物を充填した後に口頸部４４に容器蓋２を装着して口頸部４４を密封する際には、口頸部４４に容器蓋２を被嵌して容器蓋２を閉回転方向、図１において上方から見て時計方向、に回転せしめ、容器蓋２の雌螺条３０を口頸部４４の雄螺条４６に螺合せしめる。図１に示す状態まで雌螺条３０を雄螺条４６に螺合せしめると、容器蓋２の内側シール片８が口頸部４４内に侵入して口頸部４４の内周面に密接され、環状突出部１２が口頸部４４の頂面に密接せしめられ、外側シール片１０が口頸部４４の外周面に密接乃至近接せしめられ、かくして口頸部４４が密封される。
【００２０】
図１を参照して説明を続けると、口頸部４４に容器蓋２を装着して口頸部４４を密封する際には、タンパーエビデンド裾部２２の内周面に配設されている係止突起３４は口頸部４４の係止あご部４８を弾性的に乗り越え、係止あご部４８の下方に位置せしめられる。この際には係止突起３４の案内下面４２の案内作用によって係止突起３４は漸次半径方向外方に変位せしめられて円滑に係止あご部４８を乗り越える。そして、係止突起３４の各々の係止上面３８の周方向全体ではなくて周方向中間部３４ａのみにおいて係止上面３８の半径方向内方への延出長さＬａが大きく設定されている故に、係止突起３４が係止あご部４８を弾性的に乗り越える際に破断ライン１８が偶発的に破断されてしまうことは可及的に回避される。
【００２１】
内容物を消費するために口頸部４４を開封する際には、容器蓋２を開方向、即ち図１において上方から見て反時計方向、に回転せしめる。かくすると、雄螺条４６と雌螺条３０の螺合が漸次解除され、スカート壁６の主部２０は回転と共に軸線方向上方に移動せしめられる。一方、タンパーエビデント裾部２２は係止突起３４が係止あご部４８に係止せしめられる故に軸線方向上方への移動が阻止され、かくして破断ライン１８の橋絡部２６に応力が生成されて橋絡部２６が破断され、タンパーエビデント裾部２２がスカート壁６の主部２０から切り離される。破断ライン１８が破断された後においては、タンパーエビデント裾部２２を口頸部４４に残留せしめて、容器蓋２の天面壁４及びスカート壁６の主部２０は回転と共に軸線方向上方に自由に移動せしめられて口頸部４４から離脱され、かくして口頸部４４が開封される。所望ならば、タンパーエビデント裾部２２に軸線方向破断ラインを形成し、容器の口頸部４４を開封する際には上記軸線方向破断ラインが破断され、一方周方向に延在する破断ライン１８はその一端が破断されることなく維持され、タンパーエビデント裾部２２が無端環状から有端環状に展開され、タンパーエビデント裾部２２と共に容器蓋２の全体が口頸部４４から離脱されるようになすこともできる。
【００２２】
本発明に従って構成された容器蓋２においては、係止突起３４の各々において、係止上面３８の半径方向内方への延出長さが周方向全体に渡って同一ではなく、周方向中間部３４ａ（従って、図示の実施形態においては係止突起非存在部３６に対して直径方向反対側に位置する部位）において延出長さＬａが周方向両側部における延出長さＬｂよりも大きく設定されている。それ故に、タンパーエビデント裾部２２の端部に指或いは適宜の工具を係止せしめて半径方向外方に変位せしめながら容器蓋２を開回転方向に回転せしめることによって、破断ライン１８を破断せしめることなく容器蓋２の全体を口頸部４４から離脱せしめて口頸部４４が不正に開封されてしまうことが充分確実に防止される。
【符号の説明】
【００２３】
２：容器蓋
４：天面壁
６：スカート壁
１８：破断ライン
２０：主部
２２：タンパーエビデント裾部
２６：橋絡部
３０：雌螺条
３４：係止突起
３４ａ：係止突起の周方向中間部
３４ｂ：係止突起の周方向両側部
３６：係止突起非存在部
３８：係止突起の係止上面
４０：係止突起の先端面
４２：係止突起の案内下面
４４：口頸部
４６：雄螺条
４８：係止あご部
【図１】
2015093704.tif 000003
【図２】
2015093704.tif 000004
【図３】
2015093704.tif 000005